【手続補正書】
【提出日】平成29年3月7日(2017.3.7)
【手続補正１】
【補正対象書類名】特許請求の範囲
【補正対象項目名】全文
【補正方法】変更
【補正の内容】
【特許請求の範囲】
【請求項１】
画像センサと、対物レンズと、顕微鏡観察台を照射するための第１の電磁放射源と、を含む、血液のための顕微鏡測定装置であって、前記画像センサが、前記顕微鏡測定装置内の前記画像センサから収集された画像内の物体を識別し、分類するように構成された分離されたコンピュータ、モバイルコンピュータまたはタブレットに有線で、または無線で接続可能である、血液のための顕微鏡測定装置。
【請求項２】
第１の光学フィルター、第１のミラー及び第１のビームスプリッターの少なくとも１つを含む光学フィルターアセンブリーを含み、前記第１の光学フィルターが、照射する放射、放出する放射または散乱される放射の光特性を改善するように構成され、前記第１のミラー及び／または前記第１のビームスプリッターが、透過及び散乱した電磁放射並びに放出された電磁放射の方向を決定するように構成された、請求項１に記載の顕微鏡測定装置。
【請求項３】
前記顕微鏡測定装置が、蛍光顕微鏡測定、透過顕微鏡測定及び光散乱顕微鏡測定のうち１つまたは複数を実行するように構成された、請求項１または２に記載の顕微鏡測定装置。
【請求項４】
複数の電磁放射源を含み、前記顕微鏡測定装置が、前記顕微鏡観察台の物体を異なる電磁放射源で順に照射することによって、前記物体の同一のセットの透過、光散乱及び／または蛍光顕微鏡測定を順に実行するように構成された、請求項１から３のいずれか一項に記載の顕微鏡測定装置。
【請求項５】
−第１の電磁放射源で顕微鏡観察台を照射し、
−前記顕微鏡観察台の第１のデジタル画像を得るために、前記画像センサに得られた画像を投影し、
−前記第１のデジタル画像を用いて、前記第１のデジタル画像内の第１の物体を識別し、
−前記第１の物体の輪郭の輪郭座標を用いて、前記第１のデジタル画像内に含まれる前記第１の物体の領域を画定し、前記第１の物体の領域の境界線を決定し、
−前記第１の物体の１つまたは複数の物体特性を決定し、
−前記第１の物体の前記第１のデジタル画像に関して、境界から１つまたは複数の画素を差し引くことにより、接触している粒子を分離し、
−前記輪郭座標を用いて、第１の物体の前記輪郭に隣接するが前記第１の物体の外側にある領域を画定し、前記第１の電磁放射源の背景照度を計算し、前記第１の物体の電磁照度からこの平均背景照度を差し引き、
−前記第１の物体の前記輪郭内の領域の電磁照度を用いて、標準曲線を参照することにより、光を吸収する前記第１の物体内の粒子の特性を決定するように構成された、請求項１から４のいずれか一項に記載の顕微鏡測定装置。
【請求項６】
前記顕微鏡測定装置が第２の電磁放射源を含み、
−前記顕微鏡観察台の第２のデジタル画像を得るために前記第２の電磁放射源で前記顕微鏡観察台にインタロゲートし、
−第１の電磁放射源によって識別された境界内に含まれる物体を下位分類するために、第２の物体を第２のサブセットにさらに分類するのに必要なだけの前記第２のデジタル画像の前記第２の物体についての特有の光学情報を提供するのに必要な数の追加的な電磁放射源で、前記第２の物体を露光するように構成され、
前記第２の電磁放射源が、第２の物体の電磁特性に基づき、前記顕微鏡観察台内の前記第２の物体を一意的に識別する電磁特性の点で前記第１の電磁放射源とは異なる、請求項１から５のいずれか一項に記載の顕微鏡測定装置。
【請求項７】
前記第１の電磁放射源及び前記第２の電磁放射源が異なる角度で試料と交差して、前記顕微鏡観察台内の物体の異なる照度の電磁放射散乱を引き起こす、請求項６に記載の顕微鏡測定装置。
【請求項８】
前記第１の電磁放射源及び前記第２の電磁放射源が、検出センサの領域に垂直方向０から８０°で視野内の物体と交差して、顕微鏡測定装置の対物レンズが、異なる角度で散乱される光を捕捉する、請求項６または７に記載の顕微鏡測定装置。
【請求項９】
前記電磁放射源が、１００ｎｍから２０００ｎｍの範囲から選択された波長の光を放射し、前記光が、紫外線スペクトル、可視光スペクトル及び赤外線スペクトルの部分を含み、
前記電磁放射源が、１００ｎｍから１０００ｎｍの範囲から選択された波長の光を放射し、前記光が、自然に存在する蛍光色素分子または人工的に導入された蛍光色素分子の蛍光励起を引き起こし、前記励起された蛍光色素分子によって放出された光が、対応する物体を分類するための画像を生成するのに使用され、または、
前記電磁放射源が、１００ｎｍから２０００ｎｍの範囲から選択された波長の光を放射し、前記光が、前記物体内の化学物質または粒子によって吸収され、吸収性の前記物質または粒子を含む対応する画像が、より低い照度の検出された電磁放射を有する、請求項１から８のいずれか一項に記載の顕微鏡測定装置。
【請求項１０】
白血球内の細胞質顆粒が光を強く散乱する一方で、顆粒のない細胞質が光を全く散乱しないかまたは非常に低い照度で散乱するように、前記電磁放射源が、前記画像センサに垂直方向６０°から９０°の間の角度で顆粒球を照射する３００ｎｍから８００ｎｍの可視光を放出する、請求項１から９のいずれか一項に記載の顕微鏡測定装置。
【請求項１１】
前記顕微鏡測定装置が、前記センサに垂直方向６０から９０°の角度で３００から８００ｎｍの光を前記同じ物体に照射することによって下位分類された前記画像から顆粒球を分類するように構成され、前記顆粒球が、高い照度の散乱光を有する画像である、請求項１０に記載の顕微鏡測定装置。
【請求項１２】
前記顕微鏡測定装置が、前記対物系を通る経路の散乱光の経路に垂直方向０°から６０°の間、または垂直方向６０°から８０°の照射を提供するように構成された、請求項１から１１のいずれか一項に記載の顕微鏡測定装置。
【請求項１３】
前記顕微鏡測定装置が、対物系を通る経路の散乱光の経路に垂直方向０°から８０°に配置されたＬＥＤの照射時間を、２０ミリ秒から１０秒の間で制御して、対象物体を検出するのに十分な光散乱を達成するように構成された、請求項１から１２のいずれか一項に記載の顕微鏡測定装置。
【請求項１４】
顕微鏡測定装置に使用するための試料チャンバーであって、前記試料チャンバーが、試料を収容するための５から５０ミクロン離隔された２つの平坦な表面を有し、前記試料チャンバーが、５から１００μＬの血液を収容するように構成され、前記試料チャンバーの形状が、前記試料チャンバーを試料で均一かつ再現性を有して満たすことを可能にし、分析を完了する前に前記試料が移動することまたは試料が蒸発することを防ぐ、試料チャンバー。
【請求項１５】
前記試料チャンバーが、試料を試薬と混合するために使用されるチャンバーを含み、前記試料チャンバーが、５から５０μＬの試料及び５０から５００μＬの試薬を正確に測定し、次いで前記試料を前記試料チャンバーの観察領域に導入する前に前記試料を前記試薬と混合させるための手段を含む、請求項１４に記載の試料チャンバー。
【請求項１６】
前記試料チャンバーが、それぞれ２つの平坦な表面を有する第１の壁及び第２の壁を有し、前記第１の壁及び前記第２の壁の厚さが１００ミクロンから４ｍｍの間であり、前記壁の厚さ及び組成が、そうでなければ背景散乱に寄与し得る、前記表面から前記チャンバー内へのスペクトル反射及び光散乱を最小化するように選択された、請求項１４または１５に記載の試料チャンバー。